(57)【要約】【課題】、ロールペーパーを収納する箱体内に危険物等を入れられても外部より該危険物等を発見してテロやいたずらを防止するロールペーパーストッカーを提供する。【解決手段】前面部２と両側面部３，４と背面部５と底面部６とからなる箱体７でその内部に複数のロールペーパーＢを横向き状にして上下に積み重ねて収容するものにおいて、前記前面部２に上下方向に延びる開口部１０を形成し、該開口部１０に透明板１１を装着し、該開口部１０の透明板１１を介して外部から前記箱体７内の危険物等を発見することができる。【選択図】図１５
2017006287.tif 000002
【特許請求の範囲】
【請求項１】
前面部と両側面部と背面部と底面部とからなる箱体でその内部に複数のロールペーパーを横向き状にして上下に積み重ねて収容するものにおいて、前記前面部に上下方向に延びる開口部を形成し、該開口部に透明板を装着したことを特徴とするロールペーパーストッカー。
【請求項２】
前記透明板の下方部を前記両側面部の下端より更に下方に延長して延長部を形成し、該延長部を後方に湾曲してその先端部を前記背面部の下端部に結着し、湾曲した前記延長部を前記底面部に形成したことを特徴とする請求項１に記載のロールペーパーストッカー。
【請求項３】
前記箱体の上端の開口部に蓋部を枢着し、該蓋部に窓を形成し、該窓に窓用透明板を装着したことを特徴とする請求項１又は請求項２に記載のロールペーパーストッカー。
【請求項４】
前記側板部に補助開口部を形成し、該補助開口部に補助透明板を装着したことを特徴とする請求項１乃至請求項３のいずれか１に記載のロールペーパーストッカー。
【発明の詳細な説明】
【技術分野】
【０００１】
本発明は、不特定多数の人が使用する公衆便所等でロールペーパーを収納するのに好適なロールペーパーストッカーに関する。
【背景技術】
【０００２】
従来、公衆便所等内の壁面に設置されているロールペーパーホルダー装置として、箱体内に、少なくとも２個のロールペーパーを横向きに横方向に並べて配置可能なスペースを形成し、前記箱体の一方の内側面部からロールペーパーの支承軸を該スペースの内方に向かって突設してロールペーパーホルダーを形成すると共に、前記箱体の上面に、複数個のロールペーパーを横向き状にして上下に一列に積み重ねて内蔵可能なロールペーパーの補充室を上方に連設し、該補充室の上端はロールペーパーを補充する開口を形成すると共に、該補充室の底面を前記箱体内に開放して、該補充室のロールペーパーが前記支承軸にて支承されているロールペーパーの側方に順次降下する構造に形成するものにおいて、ロールペーパーストッカーとして、縦長の箱状体に形成された前記補充室からなり、該補充室の前面が化粧板で覆われているものが知られている（特許文献１参照。）。
【先行技術文献】
【特許文献】
【０００３】
【特許文献１】特許第３４７９２５７号公報
【発明の概要】
【発明が解決しようとする課題】
【０００４】
この従来のロールペーパーストッカーによれば、該補充室の前面が化粧板で覆われているので、該補充室内の状態が外部より見えず、該補充室内に何か危険物等を入れられるたりしてトイレを安心して利用できない問題点があった。
【０００５】
本発明はこのような問題点を解消し、テロ対策やいたずらを防止してトイレを安心して利用できるロールペーパーストッカーを提供することを目的とする。
【課題を解決するための手段】
【０００６】
本発明はこの目的を達成すべく、前面部と両側面部と背面部と底面部とからなる箱体でその内部に複数のロールペーパーを横向き状にして上下に積み重ねて収容するものにおいて、前記前面部に上下方向に延びる開口部を形成し、該開口部に透明板を装着したことを特徴とする。
【発明の効果】
【０００７】
本発明によれば、前記前面部に上下方向に延びる開口部を形成し、該開口部に透明板を装着したので、箱体内に危険物等を入れられても外部より該危険物等を発見することができてテロ対策やいたずらを防止でき、トイレを安心して利用できる効果を有する。
【図面の簡単な説明】
【０００８】
【図１】本発明の実施例１のロールペーパーストッカーの正面図である。
【図２】該ロールペーパーストッカーの背面図である。
【図３】該ロールペーパーストッカーの左側面図である。
【図４】該ロールペーパーストッカーの右側面図である。
【図５】該ロールペーパーストッカーの平面図である。
【図６】該ロールペーパーストッカーの底面図である。
【図７】図１のＡ−Ａ線切断面図である。
【図８】該ロールペーパーストッカーの斜視図である。
【図９】該ロールペーパーストッカーの透明部分を示す正面図である。
【図１０】該ロールペーパーストッカーの透明部分を示す背面図である。
【図１１】該ロールペーパーストッカーの透明部分を示す左側面図である。
【図１２】該ロールペーパーストッカーの透明部分を示す右側面図である。
【図１３】該ロールペーパーストッカーの透明部分を示す平面図である。
【図１４】該ロールペーパーストッカーの透明部分を示す底面図である。
【図１５】該ロールペーパーストッカーの使用状態を示す正面図である。
【図１６】該ロールペーパーストッカーの使用状態を示す平面図である。
【発明を実施するための形態】
【０００９】
本発明を実施するための形態の実施例を以下に示す。
【実施例１】
【００１０】
本発明の実施例１を図１乃至図１６により説明する。
【００１１】
１は本実施例のロールペーパーストッカーを示し、該ロールペーパーストッカー１は、前面部２と左右の側面部３，４と背面部５と底面部６からなる箱体７に形成されている。そして、前記左右の側面部３，４の上端部は水平辺部３ａ、４ａとその前方の傾斜辺部３ｂ、４ｂに形成され、これら水平辺部３ａ、４ａとその前方の傾斜辺部３ｂ、４ｂと前記前面部２と前記背面部５の上端部とにより上部開口部が形成されている。
【００１２】
８は蓋体を示し、該蓋体８は、水平部８ａとその前方の傾斜部８ｂとからなり、該水平部８ａの両端部が前記水平辺部３ａ、４ａに又該傾斜部８ｂの両端部が前記傾斜辺部３ｂ、４ｂに当接すると共に前記蓋体８の前端部が前記前面部２の上端部に当接するように開閉可能に前記背面部５の上端部に枢支されている。そして、前記水平部８ａには窓８ｃが形成され、該窓８ｃに窓用透明板９が装着されている。
【００１３】
又、前記前面部２の中央部には逆Ｕ字状で上下方向に延びる開口部１０が形成されていると共に、該前面部２の裏面に、該前面部２と略同一の幅で帯状の透明板１１を装着して該透明板１１により前記開口部１０を塞ぐようにした。そして、該透明板１１は前記左右の側面部３，４及び前面部２の下端より下方に延長形成され、この延長形成された延長部１１ａを後方に向かって湾曲状に形成しその先端部を前記背面部５の下端部に結着し、該湾曲した延長部１１ａを前記底面部６に形成した。
【００１４】
ここで、前記前面部２と前記左右の側面部３，４と前記背面部５と前記蓋体８はステンレス等の錆びない金属により作成され、又、前記窓用透明板９と透明板１１は、透明なアクリル樹脂等の合成樹脂により作成されている。そして、これら窓用透明板９と透明板１１は図９乃至図１４において薄墨色で示されている。
【００１５】
１２は前記右側面部４の下方部に形成した切欠部、１３は前記蓋体８の先端部に設けた着脱可能な係止手段、５ａは前記背面部５の下端部に形成した傾斜状の膨出部を示す。
【００１６】
次に本実施例のロールペーパーストッカー１の使用について説明する。
【００１７】
図１５及び図１６に示す如く、予めトイレの個室の壁面にロールペーパーストッカー１とその右側に隣接してロールペーパーホルダー１４を取り付ける。そして、係止手段１３を回して蓋体８を開いて上部開口部からロールペーパーＢを横向き状にして順次箱体７内に収容する。そして、最下位のロールペーパーＢを、左側面部３の下端部と湾曲状の延長部１２ａの左側の側縁との間隙１５より手で押して該湾曲状の延長部１１ａの右側の側縁と前記切欠部１２とにより形成される開口１６を貫通して前記ロールペーパーホルダー１４の支承軸１４ａに取り付ける。その後、前記上部開口部よりロールペーパーＢを補充してから係止手段１３を回して蓋体８を閉じて箱体７内に３個のロールペーパーＢを収容する。このとき最下位のロールペーパーＢはその下方部が前記湾曲状の延長部１１ａと前記傾斜状の膨出部５ａにより支承され安定して保持されている。そして、前記支承軸１４ａに支承されているロールペーパーＢを前記ロールペーパーホルダー１４のペーパーカッター１４ｂにより切断して使用する。
【００１８】
このように使用されているときに、悪意のある人が蓋体８を開けて危険物等を箱体７内に入れた場合においても、前方からは前面部２の開口部１０の透明板１１，上方からは蓋体８の窓８ｃの透明板１１及び下方からは底面部５の湾曲した透明板１１の延長部１１ａを介して箱体７の内部を見ることができるので、ロールペーパーＢ以外の危険物等を発見でき、かくて、テロ対策やいたずらの防止ができる。
【００１９】
尚、前記実施例では、前記前面部２の中央部に逆Ｕ字状の上下方向に延びる開口部１０を形成したが、該前面部２のいずれかの部分に大きな開口部を形成し、該開口部の箇所に透明板を装着し、該透明板を介して前方から箱体７内部の状態を見ることができるようにしてもよく、又、前記左右の側面部３，４いずれか或いは両側面部３，４に補助開口部を形成し、該開口部の箇所に透明板を装着し、該透明板を介して側方からも箱体７の内部の状態を見ることができるようにしてもよい。
【産業上の利用可能性】
【００２０】
本発明のロールペーパーストッカーは、不特定多数の人が使用する公共施設やデパート等の店舗や交通機関等のトイレにおいて、ロールペーパーを収納するのに利用されている。
【符号の説明】
【００２１】
１      ロールペーパーストッカー
２      前面部
３      側面部
４      側面部
５      背面部
６      底面部
７      箱体
８      蓋体
８ｃ    窓
９      窓用透明板
１０      開口部
１１      透明板
１１ａ    延長部
【図１】
2017006287.tif 000003
【図２】
2017006287.tif 000004
【図３】
2017006287.tif 000005
【図４】
2017006287.tif 000006
【図５】
2017006287.tif 000007
【図６】
2017006287.tif 000008
【図７】
2017006287.tif 000009
【図８】
2017006287.tif 000010
【図１０】
2017006287.tif 000011
【図１１】
2017006287.tif 000012
【図１２】
2017006287.tif 000013
【図１５】
2017006287.tif 000014
【図１６】
2017006287.tif 000015
【図９】
2017006287.tif 000016
【図１３】
2017006287.tif 000017
【図１４】
2017006287.tif 000018